(57)【特許請求の範囲】
【請求項１】
インクリメンタル移動量発生器であって、可動の発生器部分（１１）と、定置のセンサ部分（１２）とが設けられており、該センサ部分（１２）の傍らを発生器部分（１１）がステップバイステップに運動可能であり、発生器部分（１１）の各ステップから電気的なカウントパルスが取出し可能である形式のものにおいて、センサ部分（１２）が、カウントパルスを発生させるための切換回路を開閉するための、定置のスイッチエレメント（１８１，１９１）と可動のスイッチエレメント（１８２，１９２）とを備えた少なくとも１つの電気的なスイッチ（１８，１９）を有しており、発生器部分（１１）が、多数の切換素子（２１）を有していて、該切換素子（２１）が、発生器部分（１１）の運動方向でステップ間隔を置いて相前後して配置されており、発生器部分（１１）の各ステップ毎に前記切換素子（２１）により、可動のスイッチエレメント（１８２；１９２）が、電気的なスイッチ（１８，１９）を一時的に開放または閉鎖する方向で操作されるようになっており、発生器部分（１１）が、互いに逆向きの２つの方向（１６，１７）で運動可能であり、センサ部分（１２）が、それぞれ１つの運動方向（１６，１７）に対応する２つの電気的なスイッチ（１８，１９）を有しており、該電気的なスイッチ（１８，１９）に設けられた可動のスイッチエレメント（１８２；１９２）が発生器部分（１１）の運動路に配置されていて、発生器部分（１１）に設けられた切換素子（２１）が、発生器部分（１１）の一方の運動方向（１６）では一方の電気的なスイッチ（１８）だけを操作し、発生器部分（１１）の他方の運動方向、つまり逆向きの運動方向（１７）では他方の電気的なスイッチ（１９）だけを操作するようになっており、センサ部分（１２）が、可動のスイッチエレメント（１８２；１９２）を保持するか、または可動のスイッチエレメント（１８２；１９２）に作用するばね部材（３０）を有しており、該ばね部材（３０）が一方の端部で空間的に位置固定されていて、発生器部分（１１）の運動方向（１６，１７）に対して直交する横方向で、電気的なスイッチ（１８，１９）を閉鎖または開放するために弾性的に変位可能であり、発生器部分（１１）に設けられた切換素子（２１）が、発生器部分（１１）の運動方向（１６，１７）に対して傾けられた変位斜面（２２１；２２２）を備えており、該変位斜面（２２１；２２２）が前記ばね部材（３０）と協働して、該ばね部材（３０）を変位させるようになっており、発生器部分（１１）の運動路の両側にそれぞれ１つの電気的なスイッチ（１８；１９）が配置されており、発生器部分（１１）に設けられた各切換素子（２１）が、運動方向（１６，１７）に対して傾けられた２つの平行な変位斜面（２２１，２２２）を有しており、該変位斜面（２２１，２２２）の各端部が、それぞれ発生器部分（１１）の運動方向（１６；１７）に対して平行な切換平坦面（２２３，２２４）に移行していることを特徴とする、インクリメンタル移動量発生器。
【請求項２】
発生器部分（１１）が、回転軸線（１３）を中心にして回転可能な調整車（１４）として形成されており、該調整車（１４）の端面（１４２）に、切換平坦面（２２３，２２４）を備えた前記変位斜面（２２１，２２２）が形成されており、前記ばね部材（３０）が、調整車（１４）の回転軸線（１３）に対して半径方向に向けられていて、調整車（１４）の回転軸線（１３）の方向に変位可能に形成されている、請求項１記載のインクリメンタル移動量発生器。
【請求項３】
切換平坦面（２２３，２２４）を備えた変位斜面（２２１，２２２）が、調整車（１４）に一体成形された切換ウェブ（２２）に形成されている、請求項１または２記載のインクリメンタル移動量発生器。
【請求項４】
インクリメンタル移動量発生器であって、可動の発生器部分（１１）と、定置のセンサ部分（１２）とが設けられており、該センサ部分（１２）の傍らを発生器部分（１１）がステップバイステップに運動可能であり、発生器部分（１１）の各ステップから電気的なカウントパルスが取出し可能である形式のものにおいて、センサ部分（１２）が、カウントパルスを発生させるための切換回路を開閉するための、定置のスイッチエレメント（１８１，１９１）と可動のスイッチエレメント（１８２，１９２）とを備えた少なくとも１つの電気的なスイッチ（１８，１９）を有しており、発生器部分（１１）が、多数の切換素子（２１）を有していて、該切換素子（２１）が、発生器部分（１１）の運動方向でステップ間隔を置いて相前後して配置されており、発生器部分（１１）の各ステップ毎に前記切換素子（２１）により、可動のスイッチエレメント（１８２；１９２）が、電気的なスイッチ（１８，１９）を一時的に開放または閉鎖する方向で操作されるようになっており、発生器部分（１１）が、互いに逆向きの２つの方向（１６，１７）で運動可能であり、センサ部分（１２）が、それぞれ１つの運動方向（１６，１７）に対応する２つの電気的なスイッチ（１８，１９）を有しており、該電気的なスイッチ（１８，１９）に設けられた可動のスイッチエレメント（１８２；１９２）が発生器部分（１１）の運動路に配置されていて、発生器部分（１１）に設けられた切換素子（２１）が、発生器部分（１１）の一方の運動方向（１６）では一方の電気的なスイッチ（１８）だけを操作し、発生器部分（１１）の他方の運動方向、つまり逆向きの運動方向（１７）では他方の電気的なスイッチ（１９）だけを操作するようになっており、センサ部分（１２）が、可動のスイッチエレメント（１８２；１９２）を保持するか、または可動のスイッチエレメント（１８２；１９２）に作用するばね部材（３０）を有しており、該ばね部材（３０）が、発生器部分（１１）の運動方向（１６，１７）に、電気的なスイッチ（１８，１９）を閉鎖または開放するために弾性的に変位可能であり、発生器部分（１１）に設けられた切換素子（２１）が、歯列（２３）の歯（２３１）により形成されていて、該歯列（２３）に前記ばね部材（３０）の自由端部が突入しており、発生器部分（１１）の運動方向（１６，１７）で見て前記ばね部材（３０）の前後にそれぞれ１つの電気的なスイッチ（１８，１９）が配置されており、前記歯列（２３）の歯（２３１）が、同じ上昇歯面と下降歯面とを備えて対称的に形成されていることを特徴とする、インクリメンタル移動量発生器。
【請求項５】
発生器部分（１１）が、回転軸線（１３）を中心にして回転可能な調整車（１４）として形成されており、該調整車（１４）の端面（１４２）に前記歯列（２３）が配置されており、前記ばね部材（３０）が調整車（１４）に対して半径方向に向けられている、請求項４記載のインクリメンタル移動量発生器。
【請求項６】
発生器部分（１１）が、回転軸線（１３）を中心にして回転可能な調整車（１４）として形成されており、前記歯列が、調整車（１４）の平らな両ディスク面（１４３，１４４）のいずれか一方のディスク面に沿って、軸方向に突出した複数の歯を備えた、調整車（１４）の回転軸線（１３）に対して同軸的な歯冠として配置されており、前記ばね部材（３０）が調整車（１４）の回転軸線（１３）に対して平行に向けられている、請求項４記載のインクリメンタル移動量発生器。
【請求項７】
前記ばね部材（３０）が導電性材料から成っていて、可動のスイッチエレメント自体を形成しており、前記ばね部材（３０）の自由端部に、前記歯列（２３）に突入する絶縁材料から成る滑り部材（２６）が装着されている、請求項４から６までのいずれか１項記載のインクリメンタル移動量発生器。
【発明の詳細な説明】
【０００１】
【発明の属する技術分野】
本発明は、インクリメンタル移動量発生器であって、可動の発生器部分と、定置のセンサ部分とが設けられており、該センサ部分の傍らを発生器部分がステップバイステップに運動可能であり、発生器部分の各ステップから電気的なカウントパルスが取出し可能である形式のものに関する。
【０００２】
【従来の技術】
制御技術やコントロール技術において回転角度を測定するためのこのような形式の公知のインクリメンタル移動量発生器（ドイツ連邦共和国特許出願公開第３５１０６５１号明細書）では、中断された周面構造体（歯列）を備えたインクリメント車として形成された発生器部分が、センサ部分に間隔を置いて無接触に向かい合って位置している。センサ部分は発生器部分の構造体変化に反応して、センサ部分の出力電圧を変化させる。センサ部分の、位相のずらされた出力信号に基づき、移動量発生器の回転ステップをカウントすることも、回転方向を検出することも可能となる。
【０００３】
自動車において使用される最近の操作器具には、マイクロプロセッサ、機能ＬＥＤ表示装置およびＬＣＤ表示装置がますます多く装備されるようになっている。ＬＥＤ表示装置およびＬＣＤ表示装置を用いて目標値調節が表示される。たとえば空調設備の場合には、ＬＥＤ楔によるブロワ調節、温度目標値またはＬＣＤ情報による空気分配調節が表示される。ＬＥＤまたはＬＣＤによる表示により、目標値調節器と、目標値表示装置とを分離することができる。このことはインクリメンタル信号発生器を、マイクロプロセッサを直接に制御するために適した目標値調節器として使用することを可能にする。
【０００４】
【発明が解決しようとする課題】
本発明の課題は、冒頭で述べた形式のインクリメンタル移動量発生器を改良して、廉価に製造可能となり、かつ自動車における操作器具を調節するための目標値調節器に課せられたあらゆる要求に応じるようなインクリメンタル移動量発生器を提供することである。
【０００５】
【課題を解決するための手段】
この課題を解決するために本発明の構成では、センサ部分が、カウントパルスを発生させるための切換回路を開閉するための、定置のスイッチエレメントと可動のスイッチエレメントとを備えた少なくとも１つの電気的なスイッチを有しており、発生器部分が、多数の切換素子を有していて、該切換素子が、発生器部分の運動方向でステップ間隔を置いて相前後して配置されており、発生器部分の各ステップ毎に前記切換素子により、可動のスイッチエレメントが、電気的なスイッチを一時的に開放または閉鎖する方向で操作されるようにした。
【０００６】
【発明の効果】
本発明によるインクリメンタル移動量発生器には、廉価に製造可能であって、しかも自動車における操作器具の調節のための目標値調節器に課せられたあらゆる要求に応えられるという利点がある。発生器部分に設けられた切換素子によって操作される切換接点により、インクリメントの数も回転方向も規定される。インクリメンタル数を目標値および目標値表示装置へ変換するための評価回路にはほとんど手間がかからない。本発明によるインクリメンタル移動量発生器は調節目的のために極めて有利となるロック特性を示し、この場合、付加的な構成部分を使用する手間なしにマイクロロック（Ｍｉｋｒｏｒａｓｔｕｎｇ）が得られる。すなわち、インクリメンタル移動量発生器自体にマイクロロックが組み込まれているわけである。本発明によるインクリメンタル移動量発生器は、極めて少数のプラスチック射出成形部分からしか成っておらず、しかも十分に耐摩耗性であってかつコンパクトに形成され得るので、本発明によるインクリメンタル移動量発生器は、小型化および材料節約を求める要求に問題なく応える。使用事例に応じて、インクリメンタル移動量発生器は閉鎖子または開放子として形成することができる。この場合、そのカウントパルスは電圧パルスまたは電圧隙間として形成可能である。
【０００７】
請求項２以下に記載の構成により、請求項１に記載のインクリメンタル移動量発生器の有利な改良が可能となる。
【０００８】
本発明の有利な構成では、発生器部分が、互いに逆向きの２つの方向で運動可能であり、センサ部分が、それぞれ１つの運動方向に対応する２つの電気的なスイッチを有しており、両電気的なスイッチに設けられた可動のスイッチエレメントが発生器部分の運動路に配置されていて、発生器部分に設けられた切換素子が、発生器部分の一方の運動方向では一方の電気的なスイッチだけを操作し、発生器部分の他方の運動方向、つまり逆向きの運動方向では他方の電気的なスイッチだけを操作するようになっている。このようなインクリメンタル移動量発生器を用いると、あらゆる要求に応える目標値調節器を実現することができる。各スイッチは目標値の調節方向を規定し、つまり入力された目標値の増大または減少を規定し、増大分は一方のスイッチのスイッチ操作の回数により、減少分は他方のスイッチのスイッチ操作の回数により、それぞれ規定されている。
【０００９】
本発明の別の有利な構成では、センサ部分が、可動のスイッチエレメントを保持するか、または可動のスイッチエレメントに作用するばね部材を有しており、該ばね部材が、発生器部分の運動方向に対して直交する横方向で、電気的なスイッチを閉鎖または開放するために弾性的に変位可能である。発生器部分に設けられた切換素子は発生器部分の運動方向に対して傾けられた変位肩部または変位斜面を備えており、この変位肩部または変位斜面は前記ばね部材と協働して、該ばね部材を発生器部分の運動方向に対して直交する方向で変位させる。発生器部分の調節方向が可逆的である場合には、発生器部分の運動路の両側にそれぞれ１つの電気的なスイッチが配置されており、発生器部分の各切換素子に互いに平行な２つの変位肩部または変位斜面が設けられており、この変位肩部または変位斜面がそれぞれ一方の端部で、発生器部分の運動路に対して平行な各１つの切換平坦面に移行している。このような構造的な手段に基づき、電気的なスイッチを備えたセンサ部分と、切換素子を備えた発生器部分とを簡単に実現することができる。この場合、発生器部分はスライダまたは回転軸線を中心にして回転可能な調整車として形成されていてよい。切換素子はスライダまたは調整車の端面、またはスライダまたは調整車の、運動方向に対して直交する方向に延びる面垂線を有する互いに背中合わせの側面に配置することができる。この場合、切換素子によって変位させられるばね部材は、相応して位置決めされなければならない。
【００１０】
本発明のさらに別の有利な構成では、センサ部分が、可動のスイッチエレメントを保持するか、または可動のスイッチエレメントに作用するばね部材を有しており、該ばね部材が、発生器部分の運動方向に、少なくとも１つの電気的なスイッチを閉鎖または開放するために弾性的に変位可能である。発生器部分に設けられた切換素子は歯列の歯により形成されていて、この歯列に前記ばね部材の自由端部が突入している。発生器部分の調節方向が可逆的である場合には、発生器部分の運動方向で見て前記ばね部材の前後にそれぞれ１つの電気的なスイッチが配置されており、前記歯列の歯が対称的に形成されているので、これらの歯は発生器部分の各運動方向において前記ばね部材を一方の方向または他方の方向に均一に変位させる。この場合、発生器部分はやはりスライダまたは回転する調整車として形成され得る。歯列は、スライダまたは調整車の端面、またはスライダまたは調整車の、発生器部分の運動方向に対して直交する方向に向けられた、互いに背中合わせの２つの側面のうちのいずれか一方の側面に配置されていてよい。
【００１１】
【発明の実施の形態】
以下に、本発明の実施の形態を図面につき詳しく説明する。
【００１２】
図１に側面図で示したインクリメンタル移動量発生器は、有利にはたとえば自動車の空調設備に設けられた操作器具のための目標値調節器として働く。その場合、この目標値調節器を用いて、たとえば車両内室における空調設備によって調節したい空気温度が設定される。この移動量発生器は回転ノブ（図示しない）に結合された、可動の発生器部分１１を有しており、この発生器部分１１は定置のセンサ部分１２の傍らを通るように案内可能である。この場合、センサ部分１２は発生器部分１１の各ステップ毎に電気的なカウントパルスを送出する。図１に示した実施例では、発生器部分１１が、回転軸線１３を中心にして回転可能な調整車１４として形成されている。この調整車１４は符号１５で示したケーシング内に収容されていて、しかも目標値調節のための回転ノブに相対回動不能に結合されている。センサ部分１２は、図１に矢印１６；１７で示した調整車１４の両回転方向に合わせてそれぞれ電気的なスイッチ１８，１９を有している。両スイッチ１８，１９は調整車１４の周囲で調整車１４の回転軸線１３に対して平行に相前後してかつ調整車１４の中心平面または対称平面１４１（図２および図３参照）に対して鏡像対称的に配置されている。図１には単に図面で見て背後の電気的なスイッチ１９しか見えていない。両電気的なスイッチ１８，１９の配置は図２および図３に図示されている。電気的なスイッチ１８，１９はケーシング１５に取り付けられていて、それぞれ定置のスイッチエレメント１８１；１９１と、スイッチ１８；１９の開閉のために運動可能な可動のスイッチエレメント１８２；１９２とを有している。さらに、センサ部分１２はばね部材３０を有しており、このばね部材３０は、ケーシング１５に片側で緊締されたばね弾性的なロッド２０として形成されている。このロッド２０の一方の端部は調整車１４に対して半径方向で緊締されており、この場合、ロッド２０の他方の端部は調整車１４の回転軸線１３に対して平行に変位可能であり、つまり調整車１４の両回転方向１６，１７に対して直交する横方向で変位可能である。ばね弾性的なロッド２０の一方の端部は、このロッド２０が調整車１４の対称平面１４１に位置し、かつ一方または他方の回転方向１６；１７における変位が十分に阻止されるように緊締されている。ばね弾性的なロッド２０と、切換接点であるスイッチ１８，１９との空間的な対応配置関係は、調整車１４の一方の側におけるロッド２０の最大変位が達成されるとロッド２０が可動のスイッチエレメント１８２を定置のスイッチエレメント１８１に押圧し、かつ調整車１４の他方の側におけるロッド２０のの最大変位が達成されるとロッド２０が可動のスイッチエレメント１９２を定置のスイッチエレメント１９１に押圧するように決定されている。可動のスイッチエレメント１８２；１９２はケーシング１５に運動可能に取り付けられているか、またはケーシング１５に締付け固定されたフレキシブルな支持体に保持されている。しかし、両可動のスイッチエレメント１８２，１９２をばね弾性的なロッド２０に固く結合することもできる。両電気的なスイッチ１８，１９は評価回路（図示しない）の切換回路に配置されている。この評価回路は一方の電気的なスイッチ１８が閉じられると同時にその都度調整車１４の一方の回転方向１６のためのカウントパルスを送出し、かつ他方の電気的なスイッチ１９が閉じられると同時にその都度調整車１４の他方の回転方向１７のためのカウントパルスを送出する。また当然ながら、電気的なスイッチ１８；１９が開かれると同時にその都度調整車１４の一方の回転方向または他方の回転方向のためのこのようなカウントパルスが発生させられるように評価回路を設定することも可能である。カウントパルスは電圧パルスとしても、センサ部部分１２の出力電圧における電圧隙間としても形成され得る。
【００１３】
電気的なスイッチ１８，１９は複数の切換素子２１によって操作される。これらの切換素子２１は調整車１４に沿って調整車１４の運動方向でそれぞれ同じステップ角度だけずらされて相前後して配置されている。図１〜図３に示した実施例では、切換素子２１が、調整車１４の周面側の端面１４２に沿って配置された切換ウェブ２２として形成されている。この切換ウェブ２２は調整車１４に一体形成されている。各切換ウェブ２２には、互いに平行間隔を置いて延びる２つの変位肩部または変位斜面２２１，２２２（図２および図３）が形成されている。両変位肩部または変位斜面２２１，２２２は、調整車１４が両回転方向１６，１７のいずれか一方の回転方向に回転する際の切換ウェブ２２の運動方向に対して鋭角な角度αで傾けられて位置決めされている。各変位斜面２２１，２２２は端部側で切換平坦面に移行している。この切換平坦面は切換素子２１の運動方向に対して平行に延びている。一方の変位斜面２２１の切換平坦面は符号２２３で示されており、他方の変位斜面２２２の切換平坦面は符号２２４で示されている（図２および図３）。
【００１４】
図２および図３には、インクリメンタル移動量発生器の作用形式が、それぞれ３つの段階（ａ）、（ｂ）および（ｃ）で概略的に示されている。この場合、図２には図１に矢印１６で示した時計回り方向における調整車１４の回転方向が示されており、図３には図１に矢印１７で示した逆時計回り方向における調整車１４の回転方向が示されている。図２および図３に横断面で示されたばね弾性的なロッド２０は、調整車１４に対して半径方向に向けられていて、調整車１４の端面１４２から半径方向の小さな間隔を置いて切換ウェブ２２の底面にまで延びているので、このロッド端部は各切換ウェブ２２の間に位置しており、しかも調整車１４の回転時には回転方向１６；１７に応じて一方または他方の変位斜面２２１；２２２に当接する。調整車１４が矢印１６で示した方向で回転する場合、図２の（ａ）と（ｂ）との比較により判るように、ばね弾性的なロッド２０は変位斜面２２１によって軸方向で変位させられる。変位斜面２２１の端部では、ロッド２０が切換平坦面２２３に乗り上げて、可動のスイッチエレメント１８２を定置のスイッチエレメント１８１に押圧する。これによって電気的なスイッチ１８は短時間閉じられる（図２のｂ）。引き続き調整車１４が矢印１６で示した回転方向に送られると、ロッド２０のロッド端部は再び切換平坦面２２３から滑脱して、ばね弾性的に、図２および図３に符号１４１で破線により示した調整車１４の対称平面に位置する出発位置へ戻る。この出発位置においてロッド端部は次の切換ウェブ２２の変位斜面２２１に当接し、引き続き調整車１４が１切換ステップ分だけ回転させられると、ロッド端部は再びこの切換ウェブ２２の変位斜面２２１から切換平坦面２２３に乗り上げるまで変位させられ、これによりロッドは再び可動のスイッチエレメント１８２を定置のスイッチエレメント１８１に押圧し、これによって電気的なスイッチ１８を再び閉じる。ロッド２０の変位およびばね弾性的な戻りに基づき、調整車１４の回転時に、使用者に感知できるマイクロロックが得られる。このことは微妙な目標値調節を可能にする。
【００１５】
図１に矢印１７で示したように調整車１４が逆時計回り方向で回転すると、ばね弾性的なロッド２０は切換ウェブ２２に設けられた他方の変位斜面２２２から他方の電気的なスイッチ１９に向かって変位され、これにより切換平坦面２２４への乗上げ時に可動のスイッチエレメント１９２を定置のスイッチエレメント１９１に押圧し、ひいては電気的なスイッチ１９を閉じる。この過程は調整車１４の各回転ステップ毎に、回転方向１７で連続する切換ウェブ２２によって引き起こされる。この過程は図３において、１切換ステップを実施する際の調整車１４の３つの異なる回転位置で示されている。図２および図３では、図２の（ａ）、（ｂ）および（ｃ）もしくは図３の（ａ）、（ｂ）および（ｃ）の各段階において調整車１４の移動を判り易くする目的で、連続する３つの切換ウェブ２２が番号１、２および３で識別されている。図２に示したように調整車１４が矢印方向１６に回転すると、これらの切換ウェブ２２はこの順序で、つまり１、２、３の順序で順次にばね弾性的なロッド２０と係合する。図３に示したように調整車１４が矢印方向１７に逆回転すると、これらの切換ウェブ２２は逆の順序で、つまり３、２、１の順序でばね弾性的なロッド２０と係合する。
【００１６】
発生器部分１１の別の実施例では、変位斜面２２１，２２２と切換平坦面２２３，２２４とを備えた切換ウェブ２２の形の切換素子２１が、調整車１４の端面１４２に配置されるのではなく、調整車１４の、回転軸線１３に対して直角に向けられた２つの側面またはディスク面１４３，１４４（図１、図２および図３）に配置されている。その場合、切換ウェブ２２は回転軸線１３に対して同心的な円軌道に沿って配置されており、変位斜面２２１，２２２は半径線に対して鋭角の角度で位置決めされている。切換平坦面２２３，２２４はアーチ状に形成されていて、互いにかつ回転軸線１３に対して同心的に配置された内側および外側のピッチ円に沿って位置している。ばね弾性的なロッド２０は回転軸線１３に対して平行に向けられており、ロッド２０の端部は、それぞれ２つの切換ウェブ２２の間に突入していて、切換素子２１を保持する側面またはディスク面１４３；１４４から小さな軸方向間隔を置いて終わっている。所定の円軌道に沿って相前後して配置された切換ウェブ２２を展開させると、この円軌道は符号１４１で示した破線（図２および図３）に相当する。
【００１７】
図４および図５に示した別の実施例では、発生器部分１１がやはり切換素子２１を備えた調整車１４として形成されている。しかしこの切換素子２１は図１〜図３に示したインクリメンタル移動量発生器の場合とは異なり、調整車１４の端面１４２に沿って形成された端面歯列２３の歯２３１として形成されている。調整車１４の両回転方向１６，１７に応じて歯２３１は対称的に形成されている。つまり歯２３１は同じ上昇歯面および下降歯面を有している。センサ部分１２には、やはり両回転方向１６，１７に対応して２つの電気的なスイッチ１８，１９が配置されており、両スイッチ１８，１９はそれぞれ１つの定置のスイッチエレメント１８１；１９１と、可動のスイッチエレメント１８２；１９２とを備えている。両電気的なスイッチ１８，１９は調整車１４の周方向で互いに間隔を置いて相前後してかつ調整車１４の端面歯列２３から半径方向間隔を置いて配置されている。両電気的なスイッチ１８，１９の間には、ばね部材３０を形成するばね舌片２４が貫通している。このばね舌片２４の舌片端部は連続する２つの歯２３１の間の歯溝２３２に突入している。ばね舌片２４は調整車１４に対して半径方向に向けられていて、ケーシング１５に緊締されているか、もしくはプラスチックから成るケーシング１５の射出成形時にケーシング１５と一緒に一体成形されている。この場合、ばね舌片２４は、このばね舌片２４が調整車１４の周方向でばね弾性的に変位可能となるが、回転軸線１３に対して平行な方向での撓みは阻止されるように設計されている。ばね舌片２４に対する電気的なスイッチ１８，１９の配置関係は、ばね舌片２４が端面歯列２３の個々の歯２３１によって各回転方向１６；１７へ変位させられて、このばね舌片２４が可動のスイッチエレメント１８２；１９２に当接し、かつこの可動のスイッチエレメント１８２；１９２を定置のスイッチエレメント１８１；１８２に押圧するので、電気的なスイッチ１８；１９がそれぞれ短時間閉じられるように決定されている。この場合、次いで歯２３１がばね舌片２４の真下を通過して回転させられると、ばね舌片２４は電気的なスイッチ１８；１９を開いて、再び後続の歯溝３２内にばね弾性的に突入し、これにより後続の歯２３１によって再び変位させられる。図３に示した実施例の場合のように、この場合にも可動のスイッチエレメント１８２；１９２はケーシング１５に可動に取り付けられているか、またはケーシング１５に締付け固定されたフレキシブルな支持体に剛性的に固定され得る。また、両可動のスイッチエレメント１８２，１９２をばね舌片２４の反対の側に取り付けることも可能である。
【００１８】
図５に示したインクリメンタル移動量発生器は次の点で、図４につき説明したインクリメンタル移動量発生器とは異なっている。すなわち、図５に示した実施例では、ばね部材３０が導電性材料から成るばね板２５により形成されていて、このばね板２５が、電気的なスイッチ１８，１９の両可動のスイッチエレメント１８２，１９２の機能を引き受けている。ばね板２５はケーシング１５に緊締されており、この場合、ばね板２５は端面歯列２３の歯２３１によって調整車１４の周方向に変位させられるようになっていて、かつ評価回路の電流回路に接続されている。ばね板２５の、調整車１４寄りの端部には、絶縁材料フィンガ２６が被せ嵌められている。この絶縁材料フィンガ２６は端面歯列２３の歯溝２３２に突入している。定置のスイッチエレメント１８１，１９１は調整車１４の周方向で、ばね板２５から所定の間隔を置いて配置されており、この場合、絶縁材料フィンガ２６が端面歯列２３の１つの歯２３１によって変位させられると、調整車１４の回転方向１６；１７に応じてばね板２５が定置のスイッチエレメント１８１；１９１に当接し、これによって電気的なスイッチ１８；１９を閉じるようになっている。
【００１９】
本発明のさらに別の実施例では、ばね部材３０を変位させるための歯が端面歯列ではなく、回転軸線１３に対して同心的に調整車１４の両側面または両ディスク面１４３，１４４のいずれか一方に配置された歯冠として形成されている。その場合、歯冠の個々の歯は半径方向に向けられていて、側面またはディスク面１４３；１４４から軸方向に突出している。やはり弾性的なばね舌片２４またはばね板２５として形成することのできるばね部材３０は、調整車１４の回転軸線１３に対して平行に向けられていて、歯によって回転方向１６または回転方向１７に変位させる目的で歯冠に係合している。
【００２０】
本発明は、これまで説明した実施例に限定されるものではない。すなわち、たとえば図４および図５に示した電気的なスイッチ１８，１９を、ばね部材３０によって操作されていない状態で閉じられているように形成することもできる。その場合、調整車１４が一方の回転方向１６または他方の回転方向１７で１回転ステップだけ送られると、ばね部材３０に固く結合された一方の可動のスイッチエレメント１８２またはばね部材３０に固く結合された他方の可動のスイッチエレメント１９２のいずれかが、それぞれ対応する定置のスイッチエレメント１８１；１９１から持ち上げられ、対応する電気的なスイッチ１８；１９が開かれる。このために図４に示した実施例では、両スイッチエレメント１８１，１８２の場所と、両スイッチエレメント１９１，１９２の場所とを互いに入れ替えなければならない。図５に示した実施例では、ばね板に２つのコンタクト舌片が設けられなければならない。その場合、両コンタクト舌片は、ばね部材３０が操作されていない状態において、定置のスイッチエレメント１８１；１９１の、ばね板２５とは反対の側の外面にそれぞれ接触する。そして調整車１４がたとえば回転方向１６に送られる場合に絶縁材料フィンガ２６を介してばね板２５が変位させられると、ばね板２５に結合されたコンタクト舌片は定置のスイッチエレメント１８１から持ち上げられ、電気的なスイッチ１８は開かれる。
【００２１】
さらに、発生器部分１１は回転する調整車１４として形成されるだけではなく、長手方向で案内されるスライダとして形成されていてもよい。その場合、スライダは調整車１４と同様に切換素子２１を保持している。
【図面の簡単な説明】
【図１】本発明によるインクリメンタル移動量発生器を部分的に断面した側面図である。
【図２】図１に示したインクリメンタル移動量発生器の発生器部分を展開した平面図で、図面で見て右側に向けられた運動時に行われる３つの連続的な運動段階（ａ）、（ｂ）および（ｃ）を示す、発生器部分の展開平面図である。
【図３】図１に示したインクリメンタル移動量発生器の発生器部分を展開した平面図で、図面で見て左側に向けられた運動時に行われる３つの連続的な運動段階（ａ）、（ｂ）および（ｃ）を示す、発生器部分の展開平面図である。
【図４】本発明の第２実施例によるインクリメンタル移動量発生器の側面図である。
【図５】本発明の第３実施例によるインクリメンタル移動量発生器の側面図である。
【符号の説明】
１１  発生器部分、  １２  センサ部分、  １３  回転軸線、  １４  調整車、  １５  ケーシング、  １６，１７  回転方向を表す矢印、  １８，１９  スイッチ、  ２０  ロッド、  ２１  切換素子、  ２２  切換ウェブ、  ２３  端面歯列、  ２４  ばね舌片、  ２５  ばね板、  ２６  絶縁材料フィンガ、  ３０  ばね部材、  １４１  中心平面または対称平面、  １４２  端面、  １４３，１４４  側面またはディスク面、  １８１  定置のスイッチエレメント、  １８２  可動のスイッチエレメント、  １９１  定置のスイッチエレメント、  １９２  可動のスイッチエレメント、  ２２１，２２２  変位肩部または変位斜面、  ２２３，２２４  切換平坦面、  ２３１  歯、  ２３２  歯溝
【図１】
0004116125.tif 000002
【図２】
0004116125.tif 000003
【図３】
0004116125.tif 000004
【図４】
0004116125.tif 000005
【図５】
0004116125.tif 000006